(57)【要約】【課題】輝度の不均一性を低減する。【解決手段】面発光ユニット１００は、発光パネル１０Ａ，１０Ｂと、隣り合う発光パネル１０Ａ，１０Ｂの外縁１０Ｅに沿って延在するように位置し、発光面１２から放射された光の一部を正面側に向けて反射する反射面３４を有する光量補正部材３０と、光拡散部材４３とを備える。反射面３４は、発光面１２の側から発光パネル１０Ａの外縁１０Ｅの側に向かうにつれて発光面１２から遠ざかる方向に延びる形状を有する。反射面３４は、第１反射領域３６と、第１反射領域３６に比べて発光面１２の近くに位置し且つ第１反射領域３６の反射率よりも高い反射率を有する第２反射領域３８とを含む。【選択図】図４
2014203675.tif 000002
【特許請求の範囲】
【請求項１】
面状に並ぶように配置され、発光面から正面側に向かって光を放射する複数の発光パネルと、
複数の前記発光パネルのうちの隣り合う前記発光パネルの外縁に沿って延在するように位置し、前記発光面から放射された光の一部を前記正面側に向けて反射する反射面を有する光量補正部材と、
複数の前記発光パネルおよび前記光量補正部材に間隔を隔ててこれらと対向するように配置され、前記発光面から放射された光および前記反射面に反射した光を拡散させる光拡散部材と、を備え、
前記反射面は、前記発光面の側から前記発光パネルの前記外縁の側に向かうにつれて前記発光面から遠ざかる方向に延びる形状を有し、
前記反射面は、第１反射領域と、前記第１反射領域に比べて前記発光面の近くに位置し且つ前記第１反射領域の反射率よりも高い反射率を有する第２反射領域と、を含む、
面発光ユニット。
【請求項２】
前記光量補正部材は、
ベース部と、
前記第１反射領域およびまたは前記第２反射領域を形成する光学部材と、を含む、
請求項１に記載の面発光ユニット。
【請求項３】
前記ベース部は、光拡散性を有する部材により形成され、
前記第２反射領域を形成する前記光学部材が前記ベース部上に設けられている、
請求項２に記載の面発光ユニット。
【請求項４】
前記ベース部は、光透過性を有する部材により形成され、
前記第２反射領域を形成する前記光学部材が前記ベース部上に設けられている、
請求項２に記載の面発光ユニット。
【請求項５】
前記ベース部は、光吸収性を有する部材により形成され、
前記第２反射領域を形成する前記光学部材が前記ベース部上に設けられている、
請求項２に記載の面発光ユニット。
【請求項６】
前記光量補正部材は、前記正面側から前記光量補正部材を見た場合に前記発光面に重なっている部分を有し、
前記光量補正部材と前記発光面との間に位置し、光透過性を有する保護部をさらに備える、
請求項１から５のいずれかに記載の面発光ユニット。
【請求項７】
前記光量補正部材および前記保護部は、互いに一体的に形成されている、
請求項６に記載の面発光ユニット。
【請求項８】
前記光量補正部材は、前記正面側から隣り合う前記発光パネルの前記外縁同士の間に向かって延びる嵌合部を含み、
前記嵌合部は、前記光量補正部材以外の他の部材に設けられた位置決め部に嵌合している、
請求項１から７のいずれかに記載の面発光ユニット。
【請求項９】
前記第２反射領域は、前記第２反射領域内で反射率が異なる部分を有している、
請求項１から８のいずれかに記載の面発光ユニット。
【発明の詳細な説明】
【技術分野】
【０００１】
本発明は、面発光ユニットに関し、特に、面状に並ぶように配置された複数の発光パネルを備える面発光ユニットに関する。
【背景技術】
【０００２】
面発光ユニットは、発光パネルを発光光源として備えている。面発光ユニットは、照明器具に限られず、液晶ディスプレイ、計算機モニター、および屋外広告（サイネージ若しくは内照式看板）などのバックライトとしても用いられている。照明器具等に対する大型化の要請が高まるにつれて、より大きな発光面積を有する発光光源が求められている。この要請に対し、発光パネルそのものの大きさを大きくすることは、製造装置が大きくなって製造コストが増大したり、歩留まりが低下したりする。
【０００３】
特開２００５−２６６２８５号公報（特許文献１）に開示されているように、複数の発光パネルを面状に配置するという構成が知られている。発光パネルの中に設けられる発光部（発光体）は、封止されたり配線が接続されたりする。発光パネルの表面（発光面）には、発光領域が形成されるだけでなく、その外周に非発光領域が形成される。有機ＥＬ素子の場合、透明電極および反射電極にボンディングワイヤを接続する箇所を確保するために、非発光領域が発光領域の外周に形成される。
【０００４】
特開２００６−１５６２０５号公報（特許文献２）に開示されているように、非発光領域の輝度を向上させるために、反射板などを非発光領域に対向するように配置するという構成が知られている。同公報に開示された発光装置は、発光パネルと、発光パネルの非発光領域に対向配置された断面視三角形状の反射部材とを備えている。同公報は、この発光装置によれば、非発光領域およびその周囲における正面方向の輝度を向上させ、輝度の不均一性を低減することができると述べている。
【先行技術文献】
【特許文献】
【０００５】
【特許文献１】特開２００５−２６６２８５号公報
【特許文献２】特開２００６−１５６２０５号公報
【発明の概要】
【発明が解決しようとする課題】
【０００６】
本発明は、輝度の不均一性をより一層低減することが可能な面発光ユニットを提供することを目的とする。
【課題を解決するための手段】
【０００７】
本発明に基づく面発光ユニットは、面状に並ぶように配置され、発光面から正面側に向かって光を放射する複数の発光パネルと、複数の上記発光パネルのうちの隣り合う上記発光パネルの外縁に沿って延在するように位置し、上記発光面から放射された光の一部を上記正面側に向けて反射する反射面を有する光量補正部材と、複数の上記発光パネルおよび上記光量補正部材に間隔を隔ててこれらと対向するように配置され、上記発光面から放射された光および上記反射面に反射した光を拡散させる光拡散部材と、を備え、上記反射面は、上記発光面の側から上記発光パネルの上記外縁の側に向かうにつれて上記発光面から遠ざかる方向に延びる形状を有し、上記反射面は、第１反射領域と、上記第１反射領域に比べて上記発光面の近くに位置し且つ上記第１反射領域の反射率よりも高い反射率を有する第２反射領域と、を含む。
【０００８】
好ましくは、上記光量補正部材は、ベース部と、上記第１反射領域およびまたは上記第２反射領域を形成する光学部材と、を含む。
【０００９】
好ましくは、上記ベース部は、光拡散性を有する部材により形成され、上記第２反射領域を形成する上記光学部材が上記ベース部上に設けられている。
【００１０】
好ましくは、上記ベース部は、光透過性を有する部材により形成され、上記第２反射領域を形成する上記光学部材が上記ベース部上に設けられている。
【００１１】
好ましくは、上記ベース部は、光吸収性を有する部材により形成され、上記第２反射領域を形成する上記光学部材が上記ベース部上に設けられている。
【００１２】
好ましくは、上記光量補正部材は、上記正面側から上記光量補正部材を見た場合に上記発光面に重なっている部分を有し、上記光量補正部材と上記発光面との間に位置し、光透過性を有する保護部をさらに備える。好ましくは、上記光量補正部材および上記保護部は、互いに一体的に形成されている。
【００１３】
好ましくは、上記光量補正部材は、上記正面側から隣り合う上記発光パネルの上記外縁同士の間に向かって延びる嵌合部を含み、上記嵌合部は、上記光量補正部材以外の他の部材に設けられた位置決め部に嵌合している。
【００１４】
好ましくは、上記第２反射領域は、上記第２反射領域内で反射率が異なる部分を有している。
【発明の効果】
【００１５】
本発明によれば、輝度の不均一性をより一層低減することが可能な面発光ユニットを得ることができる。
【図面の簡単な説明】
【００１６】
【図１】実施の形態１における面発光ユニットを示す断面図である。
【図２】実施の形態１における面発光ユニットに用いられる発光パネルを示す断面図である。
【図３】実施の形態１における面発光ユニットに用いられる発光パネルの図２中のＩＩＩ線から見た様子を示す平面図である。
【図４】図１中のＩＶ線に囲まれた領域を拡大して示す断面図である。
【図５】実施の形態１における面発光ユニットが動作している時の様子を示す断面図である。
【図６】比較例１における面発光ユニットが動作している時の様子を示す断面図である。
【図７】比較例２における面発光ユニットが動作している時の様子を示す断面図である。
【図８】実施の形態１に関する実験結果を示すグラフである。
【図９】実施の形態１の第１変形例における光量補正部材を示す断面図である。
【図１０】実施の形態１の第２変形例における光量補正部材を示す断面図である。
【図１１】実施の形態１の第３変形例における光量補正部材を示す断面図である。
【図１２】実施の形態１の第４変形例における光量補正部材を示す断面図である。
【図１３】実施の形態１の第５変形例における光量補正部材を示す断面図である。
【図１４】実施の形態１の第６変形例における光量補正部材を示す断面図である。
【図１５】実施の形態１の第７変形例における光量補正部材を示す断面図である。
【図１６】実施の形態１の第８変形例における光量補正部材を示す断面図である。
【図１７】実施の形態１の第９変形例における光量補正部材を示す断面図である。
【図１８】実施の形態１の第１０変形例における光量補正部材を示す断面図である。
【図１９】実施の形態１の第１１変形例における光量補正部材を示す断面図である。
【図２０】実施の形態２における面発光ユニットを示す断面図である。
【図２１】実施の形態３における面発光ユニットを示す断面図である。
【発明を実施するための形態】
【００１７】
本発明に基づいた各実施の形態および各変形例について、以下、図面を参照しながら説明する。各実施の形態および各変形例の説明において、個数および量などに言及する場合、特に記載がある場合を除き、本発明の範囲は必ずしもその個数およびその量などに限定されない。各実施の形態および各変形例の説明において、同一の部品および相当部品に対しては、同一の参照番号を付し、重複する説明は繰り返さない場合がある。
【００１８】
［実施の形態１］
（面発光ユニット１００）
図１は、本実施の形態における面発光ユニット１００を示す断面図である。面発光ユニット１００は、発光パネル１０Ａ，１０Ｂ、光量補正部材３０、および筺体４０を備えている。
【００１９】
筺体４０は、ベース板４１、枠板４２、および光拡散板４３を含み、全体として箱状の形状を有している。発光パネル１０Ａ，１０Ｂおよび光量補正部材３０は、筺体４０の内部に配置されている。ベース板４１は、筺体４０の背面を構成し、発光パネル１０Ａ，１０Ｂを保持している。枠板４２は、筺体４０の側面を構成し、発光パネル１０Ａ，１０Ｂの外周に沿ってこれらを囲うように配置されている。光拡散板４３は、筺体４０の正面を構成し、ベース板４１に間隔を隔てて対向するように配置されている。
【００２０】
（発光パネル１０Ａ，１０Ｂ）
発光パネル１０Ａ，１０Ｂは、有機ＥＬ（Organic  Electroluminescence）素子を発光光源として備えており、面方向に沿って延在する平板状の形状を有している。発光パネル１０Ａ，１０Ｂは、各々の発光面１２（表面）が面状に並ぶように配置され、ベース板４１上においてこれに固定されている。発光パネル１０Ａ，１０Ｂは、透明基板１１と、有機ＥＬ素子を有する発光体１５とを含む積層体にて構成されている（詳細は図２，図３を参照して後述する）。
【００２１】
発光体１５は、透明基板１１の背面側に配置され、透明基板１１から見てベース板４１の側に位置している。発光パネル１０Ａ，１０Ｂは、いわゆるボトムエミッション型の有機ＥＬ素子を備えている。発光パネル１０Ａ，１０Ｂは、いわゆるトップエミッション型の有機ＥＬ素子を備えていてもよい。発光パネル１０Ａ，１０Ｂは、複数の発光ダイオードと光拡散板とから面状の発光パネルとして構成されていてもよいし、冷陰極管等を用いて面状の発光パネルとして構成されていてもよい。発光パネル１０Ａ，１０Ｂは、同一の構成を有していてもよいし、互いに異なる構成を有していてもよい。
【００２２】
発光パネル１０Ａ，１０Ｂは、間隔を隔てて互いに隣り合って配置されている。発光パネル１０Ａ，１０Ｂの間には、隙間２８が形成されている。隙間２８を設けることにより、発光パネル１０Ａ，１０Ｂを互いに接触させて配置した場合に比べ、発光面積を大きくすることができる。発光パネル１０Ａ，１０Ｂは、互いに接触させて配置させても構わない。面発光ユニット１００は、３枚以上の複数の発光パネルを備えていてもよい。この場合、複数の発光パネルはたとえばアレイ状（マトリックス状）に配置される。
【００２３】
発光パネル１０Ａ，１０Ｂは、発光面１２を有している。発光面１２は、発光体１５が位置する側とは反対側に位置する透明基板１１の外表面によって構成されている。上述したように、発光パネル１０Ａ，１０Ｂは、各々の発光面１２が面状に並ぶように配置されている。発光パネル１０Ａ，１０Ｂは、発光面１２が同一平面上に位置するように配置されている。
【００２４】
図２は、発光パネル１０Ａを示す断面図である。図３は、発光パネル１０Ａを図２中のＩＩＩ線から見た様子を示す平面図である。図２および図３を参照して、発光パネル１０Ａの詳細について説明する。発光パネル１０Ｂは、発光パネル１０Ａと同一の構成を有している。以下においては、発光パネル１０Ａに着目して説明し、発光パネル１０Ｂについての説明は繰り返さないものとする。
【００２５】
図２および図３に示すように、発光パネル１０Ａは、透明基板１１（カバー層）、陽極１４、有機層１５（発光体）、陰極１６、封止部材１７、および絶縁層１８を含む。透明基板１１の正面側の表面は、発光パネル１０Ａの発光面１２を形成している。陽極１４、有機層１５および陰極１６は、透明基板１１の裏面１３上に順次積層される。透明基板１１の外周に位置する端面は、発光パネル１０Ａの外縁１０Ｅを形成している。封止部材１７は、発光パネル１０Ａの背面１９を形成している。
【００２６】
透明基板１１は、たとえば各種のガラス基板から構成される。透明基板１１を構成する部材としては、ＰＥＴ（Polyethylene  Terephthalate）またはポリカーボネイト等のフィルム基板が用いられてもよい。陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。フォトリソグラフィ法等によりＩＴＯ膜がパターニングされることによって、陽極１４が形成される。陽極１４は、電極取出部２１（陽極用）および電極取出部２２（陰極用）を形成するために、パターニングによって分割される。
【００２７】
有機層１５（発光体）は、電力を供給されることによって光（可視光）を生成する。有機層１５は、単層の発光層から構成されていてもよく、正孔輸送層、発光層、正孔阻止層、および電子輸送層などが順次積層されることによって構成されていてもよい。陰極１６は、たとえばアルミニウム（ＡＬ）である。陰極１６は、真空蒸着法等によって有機層１５を覆うように形成される。陰極１６をパターニングするために、真空蒸着の際にはマスクが用いられるとよい。
【００２８】
陰極１６と陽極１４とが短絡しないように、陰極１６と電極取出部２１側の陽極１４との間には、絶縁層１８が設けられる。絶縁層１８は、たとえばスパッタリング法を用いてＳｉＯ２などが成膜された後、フォトリソグラフィ法等を用いて陽極１４と陰極１６とを互いに絶縁する箇所を覆うように形成される。陰極１６のうちの絶縁層１８が設けられる側とは反対側の部分は、電極取出部２２側の陽極１４（ＩＴＯ膜）に接続される。
【００２９】
封止部材１７は、絶縁性を有する樹脂またはガラス基板などから構成される。封止部材１７は、有機層１５を水分等から保護するために形成される。封止部材１７は、陽極１４、有機層１５、および陰極１６の略全体を透明基板１１上に封止する。陽極１４（ＩＴＯ膜）の一部は、電気的な接続のために、封止部材１７から露出している。
【００３０】
陽極１４のうちの封止部材１７から露出している図２左側の部分は、電極取出部２１（陽極用）を構成する。電極取出部２１と陽極１４とは互いに同じ材料で構成される。電極取出部２１は、発光パネル１０Ａの両外側に形成される（図３参照）。陽極１４のうちの封止部材１７から露出している図２右側の部分は、電極取出部２２（陰極用）を構成する。電極取出部２２と陽極１４とは互いに同じ材料で構成される。電極取出部２２も、発光パネル１０Ａの両外側に形成される（図３参照）。
【００３１】
電極取出部２１および電極取出部２２は、有機層１５を挟んで相互に反対側に位置している。隣り合う電極取出部２１および電極取出部２２同士の間には、分割領域２０（図３参照）が形成されている。電極取出部２１および電極取出部２２には、はんだ付け（銀ペースト）等を用いて配線パターン（図示せず）が取り付けられる。
【００３２】
以上のように構成される発光パネル１０Ａの表面１２（発光面）には、有機層１５が形成されている領域にほぼ対応するように発光領域Ｒ１（図２参照）が形成され、電極取出部２１，２２が形成されている領域にほぼ対応するように非発光領域Ｒ２（図２参照）が形成される。非発光領域Ｒ２は、発光領域Ｒ１の外側に位置しており、有機ＥＬ素子を封止したり、有機ＥＬ素子に配線を接続したりするための部位を設けることで形成されている。
【００３３】
図４は、図１中のＩＶ線に囲まれた領域を拡大して示す断面図である。発光パネル１０Ａ，１０Ｂは、各々の非発光領域Ｒ２同士が互いに隣り合うように配置される。発光パネル１０Ａ，１０Ｂは、隙間２８を隔てて並べられ、筺体４０（図１参照）に固定される。有機層１５には、外部の電源装置から、図示しない配線パターン、電極取出部２１，２２、陽極１４および陰極１６を通して電力が供給される。有機層１５で生成された光は、陽極１４および透明基板１１を通して、表面１２（発光面）の発光領域Ｒ１から出射される。光は、発光領域Ｒ１から正面（光拡散板４３）側に向かって放射される。
【００３４】
面発光ユニット１００においては、発光パネル１０Ａ，１０Ｂ間に形成された隙間２８と、隙間２８に隣接して位置する発光パネル１０Ａ，１０Ｂの非発光領域Ｒ２（Ｒ２ａ，Ｒ２ｂ）とを含む部分が、非発光部Ｒ３を構成している。非発光部Ｒ３は、何ら対策を施していない場合には、暗部を生じさせてしまう原因となる部位である。
【００３５】
（光量補正部材３０）
光量補正部材３０は、発光パネル１０Ａ，１０Ｂの発光領域Ｒ１から放射された光の一部を正面側（光拡散板４３の側）に向けて反射するものである。光量補正部材３０は、ベース部３１および光学部材３２，３３を含んでいる。光量補正部材３０は、全体として、図４紙面に対して垂直な方向に沿って棒状に延びる形状を有しており、非発光部Ｒ３に正面側から対向するように配置されている。
【００３６】
光量補正部材３０のベース部３１は、断面視において二等辺三角形状を有し、その正面側の表面には傾斜面が形成されている。ベース部３１の底面は、発光パネル１０Ａ，１０Ｂの各発光面１２上に位置し、隣り合う発光パネル１０Ａ，１０Ｂの外縁１０Ｅに沿うように図４紙面に対して垂直な方向に沿って延在している。
【００３７】
より詳細には、発光パネル１０Ａの発光面１２には、発光パネル１０Ｂ側の外縁１０Ｅに沿って位置する非発光領域Ｒ２（Ｒ２ａ）が形成されている。発光パネル１０Ｂの発光面１２には、発光パネル１０Ａ側の外縁１０Ｅに沿って位置する非発光領域Ｒ２（Ｒ２ｂ）が形成されている。
【００３８】
光量補正部材３０のベース部３１は、非発光領域Ｒ２（Ｒ２ａ）と非発光領域Ｒ２（Ｒ２ｂ）とに跨り、かつ、これらの非発光領域Ｒ２ａ，Ｒ２ａに沿って延在するように発光パネル１０Ａおよび発光パネル１０Ｂ上に設けられている。すなわち、光量補正部材３０は、光拡散板４３が位置する側（正面側）から光量補正部材３０を見た場合に、非発光領域Ｒ２ａ，Ｒ２ｂ（発光面の一部）に重なる部分を有している。
【００３９】
ベース部３１の発光パネル１０Ａ側の傾斜面は、発光パネル１０Ａの発光面１２の側から発光パネル１０Ａの外縁１０Ｅの側に向かうにつれて、発光パネル１０Ａの発光面１２から遠ざかる方向に延びる形状を有している。光学部材３２は、ベース部３１の発光パネル１０Ａ側の傾斜面上に設けられ、後述する第２反射領域３８をその表面に有している。第２反射領域３８は、光学部材３２の外表面によって形成される部位である。ベース部３１の発光パネル１０Ａ側の傾斜面のうち、第２反射領域３８が設けられていない部分は、後述する第１反射領域３６を形成している。
【００４０】
ベース部３１の発光パネル１０Ｂ側の傾斜面は、発光パネル１０Ｂの発光面１２の側から発光パネル１０Ｂの外縁１０Ｅの側に向かうにつれて、発光パネル１０Ｂの発光面１２から遠ざかる方向に延びる形状を有している。光学部材３３は、ベース部３１の発光パネル１０Ｂ側の傾斜面上に設けられ、後述する第２反射領域３９をその表面に有している。第２反射領域３９は、光学部材３３の外表面によって形成される部位である。ベース部３１の発光パネル１０Ｂ側の傾斜面のうち、第２反射領域３９が設けられていない部分は、後述する第１反射領域３７を形成している。
【００４１】
光学部材３２，３３は、いずれもベース部３１とは別部材として構成され、ベース部３１の傾斜面に設けられている。光学部材３２，３３をベース部３１の傾斜面に設けるためには、アルミなどの高い反射率を有するシール状の部材を傾斜面に貼り付けて光学部材３２，３３を構成してもよいし、蒸着、メッキおよび塗装処理等によって銀、金、アルミまたはこれらの合金などの高い反射率を有する膜を傾斜面にコーティングして光学部材３２，３３を構成してもよい。
【００４２】
本実施の形態の光量補正部材３０は、その延在方向に沿ってこれを見た場合に、全体としておおよそ三角形状の外形を有しており、発光パネル１０Ａ側に位置する反射面３４と、発光パネル１０Ｂ側に位置する反射面３５とを含んでいる。反射面３４は、発光パネル１０Ａの発光領域Ｒ１から放射された光の一部を正面側（光拡散板４３の側）に向けて反射させ、反射面３５は、発光パネル１０Ｂの発光領域Ｒ１から放射された光の一部を正面側（光拡散板４３の側）に向けて反射させる。
【００４３】
反射面３４は、発光パネル１０Ａの発光面１２の側から発光パネル１０Ａの外縁１０Ｅの側に向かうにつれて、発光パネル１０Ａの発光面１２から遠ざかる方向に延びる形状を有している。本実施の形態の反射面３４は、上述の第１反射領域３６と、上述の第２反射領域３８とを含んでいる。第１反射領域３６は、ベース部３１の頂部側に位置している。第２反射領域３８は、発光パネル１０Ａの発光面１２と交差しており、第１反射領域３６に比べて発光パネル１０Ａの発光面１２の近くに位置している。第２反射領域３８は、第１反射領域３６の反射率よりも高い反射率を有している。
【００４４】
第１反射領域３６および第２反射領域３８は、発光パネル１０Ａの発光面１２（発光領域Ｒ１）から放射された光を正面側（光拡散板４３が位置する側）に向けて反射するための部位であり、いずれもが平面形状を有している。発光パネル１０Ａの発光面１２に対して垂直な仮想直線を描いた場合、第１反射領域３６および第２反射領域３８は、この仮想直線に対して非発光部Ｒ３の側に傾いており、光拡散板４３に近づくにつれて非発光部Ｒ３の側に向かう方向に延びている。
【００４５】
反射面３５は、発光パネル１０Ｂの発光面１２の側から発光パネル１０Ｂの外縁１０Ｅの側に向かうにつれて、発光パネル１０Ｂの発光面１２から遠ざかる方向に延びる形状を有している。本実施の形態の反射面３５は、上述の第１反射領域３７と、上述の第２反射領域３９とを含んでいる。第１反射領域３７は、ベース部３１の頂部側に位置している。第２反射領域３９は、発光パネル１０Ｂの発光面１２と交差しており、第１反射領域３７に比べて発光パネル１０Ｂの発光面１２の近くに位置している。第２反射領域３９は、第１反射領域３７の反射率よりも高い反射率を有している。
【００４６】
第１反射領域３７および第２反射領域３９は、発光パネル１０Ｂの発光面１２（発光領域Ｒ１）から放射された光を正面側（光拡散板４３が位置する側）に向けて反射するための部位であり、いずれもが平面形状を有している。発光パネル１０Ｂの発光面１２に対して垂直な仮想直線を描いた場合、第１反射領域３７および第２反射領域３９は、この仮想直線に対して非発光部Ｒ３の側に傾いており、光拡散板４３に近づくにつれて非発光部Ｒ３の側に向かう方向に延びている。
【００４７】
光量補正部材３０のベース部３１としては、樹脂製の部材または金属製の部材にてこれを構成することが好ましい。ベース部３１に用いられるの樹脂材料としては、ポリカーボネート、アクリル、ＡＢＳおよびＰＥＴなどが挙げられる。ベース部３１に用いられる金属材料しては、アルミ、鉄、銅およびステンレスなどが挙げられる。樹脂材料を射出成形したり、金属材料を押出し成形してこれを組み合わせたり、金属製の板状部材をプレス加工等によって折り曲げたりすることによって、ベース部３１は作製される。
【００４８】
ベース部３１の材質は、第２反射領域３８，３９の反射率が第１反射領域３６，３７（ベース部３１の地肌部分）の反射率よりも高くなるように、光学部材３２，３３の材質を勘案して最適なものが選択される。ベース部３１としては、図示するように中実柱状の形状を有していてもよいし、これに代えて中空筒状の形状を有していてもよい。軽量化の観点からは、ベース部３１は、中空筒状の形状を有していることが有利である。ベース部３１の傾斜面にサンドブラスト加工などの表面処理を施すことによって、第１反射領域３６，３７および第２反射領域３８，３９を当該傾斜面に形成してもよい。
【００４９】
（光拡散板４３）
光拡散板４３は、全体として薄板状の形状を有し、光拡散部材として機能する。光拡散板４３は、発光面１２から放射された光および反射面３４，３５で反射した光が光拡散板４３を通過する際に、その光を拡散させる。上述のとおり、光拡散板４３は、筺体４０（図１参照）の枠板４２の先端近傍に取り付けられる。光拡散板４３は、発光パネル１０Ａ，１０Ｂおよび光量補正部材３０に間隔を隔ててこれらと正面側から対向するように配置される。
【００５０】
本実施の形態の光拡散板４３は、発光パネル１０Ａ，１０Ｂの発光面１２に対して平行な位置関係となるように固定されている。面発光ユニット１００を正面側から見た場合、光拡散板４３は、発光パネル１０Ａ，１０Ｂおよび光量補正部材３０の全体を覆う（全体に重なる）大きさを有している。
【００５１】
光拡散部材としての光拡散板４３は、粒子径、粒度分布および屈折率等において所望の値を有する光拡散剤（光拡散用の微粒子）を選び、ポリカーボネート樹脂などの基材中にその光拡散材が分散されることで作製されることができる。光拡散部材としては、光拡散板に限られず、光拡散シート、光透過散光フィルターまたは導光板なども好適に用いることができる。光拡散部材としては、マイクロレンズアレイ（凹凸）状の表面形状を有する透明基材が用いられてもよい。
【００５２】
（作用および効果）
図５を参照して、発光体１５で生成された光は、透明基板１１の内部を通過して発光面１２（発光領域）から放射される。発光パネル１０Ａ，１０Ｂの発光面１２から放射された光の一部は、光量補正部材３０に向かって進み、反射面３４，３５（図４参照）に到達して正面側に向かって反射される。反射面３４，３５（図４参照）で反射された光の一部は、非発光部Ｒ３およびその周囲部に対応する部分の光拡散板４３に入射した後、光拡散板４３によって拡散されて正面側に向けて放射される。
【００５３】
図６は、比較例１における面発光ユニット２００を示す断面図である。面発光ユニット２００は、光量補正部材３０を備えていない。発光パネル１０Ａ，１０Ｂの発光面１２から放射された光のほとんどは光拡散板４３にそのまま入射し、光拡散板４３によって拡散されて正面側に向けて放射される。したがって当該構成では、光拡散板４３のうちの非発光部Ｒ３およびその周囲部に対応する部分から放射される光の輝度が低くなり、非発光部Ｒ３を目立たなくすることは難しい。
【００５４】
本実施の形態の面発光ユニット１００のように、反射面３４，３５を有する光量補正部材３０を非発光部Ｒ３に対応するように配置することによって、発光面１２から放射された光の一部は光量補正部材３０に向かって進み、反射面３４，３５に到達して正面側に向かって反射される。反射面３４，３５を用いない場合に比べて、光拡散板４３のうちの非発光部Ｒ３およびその周囲部に対応する部分から放射される光の輝度を高くすることができ、非発光部Ｒ３を目立たなくすることができる。
【００５５】
図４を参照して上述したように、反射面３４，３５は、第１反射領域３６，３７と、これらより高い反射率を有する第２反射領域３８，３９とを含んでいる。第２反射領域３８，３９は、第１反射領域３６，３７に比べて発光面１２側に配置されている。反射面３４，３５のうちの頂部側の領域（第１反射領域３６，３７）は、ベース部３１のうちの発光面１２側の領域（第２反射領域３８，３９）に比べて光拡散板４３に近い。反射面３４，３５内においては、一様の反射率とはなっておらず、発光面１２側に位置する部分の方が反射率が高くなっている。
【００５６】
図７は、比較例２における面発光ユニット３００を示す断面図である。面発光ユニット３００は、光量補正部材３０Ｚを備えている。光量補正部材３０Ｚの反射面は、一様の反射率を有している。面発光ユニット３００においては、反射面のうちの光拡散板４３側の領域（第１反射領域３６，３７に対応する領域）で反射される光の量は、本実施の形態のような構成に比べて多くなる。
【００５７】
光拡散板４３を通して外部に放射される光としては、光拡散板４３のうちの第１反射領域３６，３７およびその周囲部に対応する部分から放射される光の量が、その他の領域に比べて必要以上に多く放射されることになる。当該構成では、光拡散板４３のうちの第１反射領域３６，３７に対応する領域の輝度が高くなりすぎて、光拡散板４３を通して外部に放射される光の輝度分布の不均一性を改善することは難しい。このことは、第２反射領域３８，３９の反射率よりも高い反射率を有するような第１反射領域３６，３７が反射面内が形成されている場合も同様である。
【００５８】
本実施の形態の面発光ユニット１００においては、光拡散板４３側に位置する第１反射領域３６，３７の反射率が、第２反射領域３８，３９の反射率に比べて低くなるように構成されている。光拡散板４３のうちの第１反射領域３６，３７およびその周囲部に対応する部分から放射される光の量がその他の領域に比べて必要以上に多く放射されることは、効果的に抑制されている。したがって面発光ユニット１００によれば、光拡散板４３を通して外部に放射される光の輝度分布の不均一性をより一層低減することが可能となっている。
【００５９】
［実験例］
図８は、実施の形態１に関する実験例の実験結果を示すグラフである。当該実験例においては、２つの面発光ユニットを準備した。１つは、図８中の実施例として記載されている黒丸プロットに対応するものであり、上述の実施の形態１の面発光ユニット１００と同様の構成を有している。もう１つは、図８中の比較例として記載されている白丸プロットに対応するものであり、上述の比較例２（図７参照）と同様の構成を有している。比較例の構成は、反射率が面内で均一となっている反射面を有している。図８中の縦軸は、面発光ユニットの正面側で測定される光の輝度を表している。図８中の横軸は、発光パネル１０Ａ，１０Ｂが配列されている方向における位置を表している。
【００６０】
白丸プロットを参照して、反射率が面内で均一な反射面を有する比較例（図７参照）の場合、中央付近（非発光部Ｒ３およびその周囲部に対応する部分）の輝度が他の領域に比べて高くなっていることがわかる。一方で、黒丸プロットを参照して、光拡散板４３側の反射率が発光面１２側に比べて低い反射面を有する実施例の場合、中央付近（非発光部Ｒ３およびその周囲部に対応する部分）の輝度が他の領域に比べて高くなっていることはなく、全体として輝度の不均一性が低減されていることがわかる。当該実験例の結果からも、実施の形態１に基づく面発光ユニット１００によれば、全体としての輝度の不均一性を低減できることがわかる。
【００６１】
［第１変形例］
図９を参照して、実施の形態１の第１変形例における光量補正部材３０Ａについて説明する。光量補正部材３０Ａのベース部３１は、断面視において台形形状を有し、その正面側の表面には平坦面３１Ｊが形成され、その発光パネル１０Ａ，１０Ｂ側の両表面には傾斜面が形成されている。
【００６２】
発光パネル１０Ａ側に形成された反射面３４は、発光パネル１０Ａの発光面１２の側から発光パネル１０Ａの外縁１０Ｅの側に向かうにつれて、発光パネル１０Ａの発光面１２から遠ざかる方向に延びる形状を有している。発光パネル１０Ｂ側に形成された反射面３５は、発光パネル１０Ｂの発光面１２の側から発光パネル１０Ｂの外縁１０Ｅの側に向かうにつれて、発光パネル１０Ｂの発光面１２から遠ざかる方向に延びる形状を有している。
【００６３】
発光パネル１０Ａ，１０Ｂの発光面１２側に位置する第２反射領域３８，３９は、平坦面３１Ｊ側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００６４】
［第２変形例］
図１０を参照して、実施の形態１の第２変形例における光量補正部材３０Ｂについて説明する。光量補正部材３０Ｂのベース部３１は、断面視において半割の円柱形状を有している。ベース部３１の表面のうちの発光パネル１０Ａ，１０Ｂ側の部分は、曲面状の形状を有している。光学部材３２，３３は、曲面状の表面のうちの発光面１２側の部分に設けられている。
【００６５】
発光パネル１０Ａ側に形成された反射面３４は、発光パネル１０Ａの発光面１２の側から発光パネル１０Ａの外縁１０Ｅの側に向かうにつれて、発光パネル１０Ａの発光面１２から遠ざかる方向に凸状に湾曲して延びる形状を有している。発光パネル１０Ｂ側に形成された反射面３５は、発光パネル１０Ｂの発光面１２の側から発光パネル１０Ｂの外縁１０Ｅの側に向かうにつれて、発光パネル１０Ｂの発光面１２から遠ざかる方向に凸状に湾曲して延びる形状を有している。
【００６６】
発光パネル１０Ａ，１０Ｂの発光面１２側に位置する第２反射領域３８，３９は、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００６７】
［第３変形例］
図１１を参照して、実施の形態１の第３変形例における光量補正部材３０Ｃについて説明する。光量補正部材３０Ｃのベース部３１は、断面視において多角形状（五角形状）を有している。ベース部３１の表面のうちの発光パネル１０Ａ，１０Ｂ側の部分は、断面視において屈曲する形状を有している。光学部材３２，３３は、ベース部３１の表面のうちの発光面１２側の部分に設けられている。
【００６８】
発光パネル１０Ａ側に形成された反射面３４は、発光パネル１０Ａの発光面１２の側から発光パネル１０Ａの外縁１０Ｅの側に向かうにつれて、発光パネル１０Ａの発光面１２から遠ざかる方向に凸状に屈曲して延びる形状を有している。発光パネル１０Ｂ側に形成された反射面３５は、発光パネル１０Ｂの発光面１２の側から発光パネル１０Ｂの外縁１０Ｅの側に向かうにつれて、発光パネル１０Ｂの発光面１２から遠ざかる方向に凸状に屈曲して延びる形状を有している。
【００６９】
発光パネル１０Ａ，１０Ｂの発光面１２側に位置する第２反射領域３８，３９は、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００７０】
［第４変形例］
図１２を参照して、実施の形態１の第４変形例における光量補正部材３０Ｄについて説明する。上述の実施の形態および各変形例は、第１反射領域の形成を、光学部材によって実現している。本変形例の光量補正部材３０Ｄは、第１反射領域および第２反射領域の双方の形成を、光学部材によって実現している。具体的には、光量補正部材３０Ｄのベース部３１は、断面視において三角形状を有している。ベース部３１の傾斜面の全体を覆うように、光学部材３２が設けられている。光学部材３２のうちの光拡散板４３側の部分の表面上には、他の光学部材３２Ｍ，３２Ｎが設けられている。
【００７１】
第１反射領域３６，３７は、他の光学部材３２Ｍ，３２Ｎの外表面によって形成される部位である。光学部材３２のうちの光学部材３２Ｍ，３２Ｎが設けられていない領域は、第２反射領域３８，３９をその表面に有している。光学部材３２および光学部材３２Ｍ，３２Ｎの材質は、第２反射領域３８，３９の反射率が第１反射領域３６，３７の反射率よりも高くなるように最適なものが選択される。光学部材３２は、第２反射領域３８，３９を形成可能であれば、ベース部３１の傾斜面の全体を覆うように設けられていなくてもよい。
【００７２】
発光パネル１０Ａ側に形成された反射面３４は、発光パネル１０Ａの発光面１２の側から発光パネル１０Ａの外縁１０Ｅの側に向かうにつれて、発光パネル１０Ａの発光面１２から遠ざかる方向に延びる形状を有している。発光パネル１０Ｂ側に形成された反射面３５は、発光パネル１０Ｂの発光面１２の側から発光パネル１０Ｂの外縁１０Ｅの側に向かうにつれて、発光パネル１０Ｂの発光面１２から遠ざかる方向に延びる形状を有している。
【００７３】
発光パネル１０Ａ，１０Ｂの発光面１２側に位置する第２反射領域３８，３９は、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００７４】
［第５変形例］
図１３を参照して、実施の形態１の第５変形例における光量補正部材３０Ｅについて説明する。本変形例の光量補正部材３０Ｅは、第２反射領域の形成を、光学部材によって実現している。具体的には、光量補正部材３０Ｅは、ベース部３１Ｋと、光学部材３２Ｍ，３２Ｎとを含んでいる。ベース部３１Ｋは、アルミ、鉄、銅およびステンレスなどの金属材料がプレス加工等によって折り曲げられることにより作製される。
【００７５】
ベース部３１Ｋの正面側の部分は、断面視において三角形状を有している。ベース部３１Ｋの背面側の部分には、嵌合部３１Ｔが形成されている。嵌合部３１Ｔは、正面側から発光パネル１０Ａ，１０Ｂの外縁１０Ｅ同士の間に向かって延びる形状を有している。発光パネル１０Ａ，１０Ｂの外縁１０Ｅ同士の間の部分は、光量補正部材以外の他の部材に設けられた位置決め部として機能している。この位置決め部に嵌合部３１Ｔが差し込まれることによって、光量補正部材３０Ｅは発光パネル１０Ａ，１０Ｂに対して位置決めされている。
【００７６】
光学部材３２Ｍ，３２Ｎは、ベース部３１Ｋの傾斜面のうちの光拡散板４３側の部分の表面上に設けられている。第１反射領域３６，３７は、光学部材３２Ｍ，３２Ｎの外表面によって形成される部位である。ベース部３１Ｋの傾斜面のうちの光学部材３２Ｍ，３２Ｎが設けられていない領域は、第２反射領域３８，３９をその表面に形成している。ベース部３１Ｋおよび光学部材３２Ｍ，３２Ｎの材質は、第２反射領域３８，３９の反射率が第１反射領域３６，３７の反射率よりも高くなるように最適なものが選択される。
【００７７】
発光パネル１０Ａ側に形成された反射面３４は、発光パネル１０Ａの発光面１２の側から発光パネル１０Ａの外縁１０Ｅの側に向かうにつれて、発光パネル１０Ａの発光面１２から遠ざかる方向に延びる形状を有している。発光パネル１０Ｂ側に形成された反射面３５は、発光パネル１０Ｂの発光面１２の側から発光パネル１０Ｂの外縁１０Ｅの側に向かうにつれて、発光パネル１０Ｂの発光面１２から遠ざかる方向に延びる形状を有している。
【００７８】
発光パネル１０Ａ，１０Ｂの発光面１２側に位置する第２反射領域３８，３９は、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００７９】
［第６変形例］
図１４を参照して、実施の形態１の第６変形例における光量補正部材３０Ｆについて説明する。光量補正部材３０Ｆは、ベース部３１と、光学部材３２ａ，３２ｂ，３３ａ，３３ｂとを含んでいる。第１反射領域３６，３７は、ベース部３１の頂部側に形成されている。第１反射領域３６，３７は、ベース部３１の頂部側の部分の外表面によって形成される部位である。
【００８０】
光学部材３２ａ，３３ａは、ベース部３１の傾斜面のうちの発光面１２側の部分の表面上に設けられ、それぞれ第２反射領域３８ａ，３９ａを形成している。光学部材３２ｂは、第１反射領域３６と光学部材３２ａとの間に設けられ、第２反射領域３８ｂを形成している。光学部材３３ｂは、第１反射領域３７と光学部材３３ａとの間に設けられ、第２反射領域３９ｂを形成している。第２反射領域３８ｂ，３９ｂは、第１反射領域３６，３７の反射率よりも高い反射率を有している。第２反射領域３８ａ，３９ａは、第２反射領域３８ｂ，３９ｂの反射率よりも高い反射率を有している。
【００８１】
発光パネル１０Ａ側に形成された反射面３４は、発光パネル１０Ａの発光面１２の側から発光パネル１０Ａの外縁１０Ｅの側に向かうにつれて、発光パネル１０Ａの発光面１２から遠ざかる方向に延びる形状を有している。発光パネル１０Ｂ側に形成された反射面３５は、発光パネル１０Ｂの発光面１２の側から発光パネル１０Ｂの外縁１０Ｅの側に向かうにつれて、発光パネル１０Ｂの発光面１２から遠ざかる方向に延びる形状を有している。
【００８２】
発光パネル１０Ａ，１０Ｂの発光面１２側に位置する第２反射領域３８ａ，３８ｂ，３９ａ，３９ｂは、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００８３】
第２反射領域の中での反射率が異なるように反射面を構成することで、正面側の輝度分布の変化率を小さくすることができ、より滑らかな発光効果を得ることができる。第２反射領域の中での反射率は、第１反射領域に比べて高い部分を有していれば良く、本変形例のように２種類で構成してもよいし、３種類以上で構成してもよい。第２反射領域の中での反射率は、同じ反射率を有する箇所がドット状に点在するように構成されてもよい。好適には、第２反射領域の中での反射率は、第１反射領域に近づくにつれて徐々に小さくなるように構成されるとよい。第２反射領域の中での反射率は、位置によってグラデーションのように滑らかに変化するように構成されてもよい。
【００８４】
［第７変形例］
図１５を参照して、実施の形態１の第７変形例における光量補正部材３０Ｇについて説明する。光量補正部材３０Ｇは、ベース部３１Ｐおよび光学部材３２，３３を含んでいる。光量補正部材３０Ｇのベース部３１Ｐは、高い光透過性を有するプリズムなどによって構成されており、発光パネル１０Ａ，１０Ｂの発光面１２から放射された光の一部を透過させるものである。
【００８５】
光学部材３２は、ベース部３１Ｐの発光パネル１０Ａ側の傾斜面上に設けられ、第２反射領域３８をその表面に形成している。ベース部３１Ｐの発光パネル１０Ａ側の傾斜面のうち、第２反射領域３８が形成されていない部分は、第１反射領域３６を形成している。光学部材３３は、ベース部３１Ｐの発光パネル１０Ｂ側の傾斜面上に設けられ、第２反射領域３９をその表面に形成している。ベース部３１Ｐの発光パネル１０Ｂ側の傾斜面のうち、第２反射領域３９が形成されていない部分は、第１反射領域３７を形成している。
【００８６】
第１反射領域３６，３７は、ベース部３１Ｐの頂部側に位置している。第２反射領域３８，３９は、第１反射領域３６，３７に比べて発光パネル１０Ａ，１０Ｂの発光面１２の近くに位置している。第２反射領域３８，３９は、第１反射領域３６，３７の反射率よりも高い反射率を有している。発光パネル１０Ａ，１０Ｂの発光面１２から放射された光のうちの第１反射領域３６，３７に到達した光のほとんどは、第１反射領域３６，３７からベース部３１Ｐの内部に入射する。入射した光の一部は、ベース部３１Ｐを透過し、第１反射領域３６，３７から放射される。
【００８７】
光量補正部材３０Ｇにおいても、発光パネル１０Ａ，１０Ｂの発光面１２側に位置する第２反射領域３８，３９は、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００８８】
［第８変形例］
図１６を参照して、実施の形態１の第８変形例における光量補正部材３０Ｈについて説明する。光量補正部材３０Ｈは、ベース部３１Ｑおよび光学部材３２，３３を含んでいる。光量補正部材３０Ｈのベース部３１Ｑは、光学部材３２，３３により形成される第２反射領域３８，３９の反射率よりも低い反射率を有する部材（光吸収性を有する部材）によって構成されており、発光パネル１０Ａ，１０Ｂの発光面１２から放射された光の一部を反射させないものである。ベース部３１Ｑは、たとえば、樹脂基材の中に黒色の微粒子を分散させることで作製されることができる。
【００８９】
光学部材３２は、ベース部３１Ｑの発光パネル１０Ａ側の傾斜面上に設けられ、第２反射領域３８をその表面に形成している。ベース部３１Ｑの発光パネル１０Ａ側の傾斜面のうち、第２反射領域３８が形成されていない部分は、第１反射領域３６を形成している。光学部材３３は、ベース部３１Ｑの発光パネル１０Ｂ側の傾斜面上に設けられ、第２反射領域３９をその表面に形成している。ベース部３１Ｑの発光パネル１０Ｂ側の傾斜面のうち、第２反射領域３９が形成されていない部分は、第１反射領域３７を形成している。
【００９０】
第１反射領域３６，３７は、ベース部３１Ｑの頂部側に位置している。第２反射領域３８，３９は、第１反射領域３６，３７に比べて発光パネル１０Ａ，１０Ｂの発光面１２の近くに位置している。第２反射領域３８，３９は、第１反射領域３６，３７の反射率よりも高い反射率を有している。発光パネル１０Ａ，１０Ｂの発光面１２から放射された光のうちの第１反射領域３６，３７に到達した光のほとんどは、第１反射領域３６，３７においては反射せず、ベース部３１Ｑによって吸収される。
【００９１】
光量補正部材３０Ｈにおいても、発光パネル１０Ａ，１０Ｂの発光面１２側に位置する第２反射領域３８，３９は、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００９２】
［第９変形例］
図１７を参照して、実施の形態１の第９変形例における光量補正部材３０Ｊについて説明する。光量補正部材３０Ｊは、ベース部３１Ｒおよび光学部材３２，３３を含んでいる。光量補正部材３０Ｊのベース部３１Ｒは、光拡散性を有する部材によって構成されており、発光パネル１０Ａ，１０Ｂの発光面１２から放射された光の一部を拡散させるものである。ベース部３１Ｒは、たとえば、樹脂基材の中に光拡散用の微粒子を分散させることで作製されることができる。
【００９３】
光学部材３２は、ベース部３１Ｒの発光パネル１０Ａ側の傾斜面上に設けられ、第２反射領域３８をその表面に形成している。ベース部３１Ｒの発光パネル１０Ａ側の傾斜面のうち、第２反射領域３８が形成されていない部分は、第１反射領域３６を形成している。光学部材３３は、ベース部３１Ｒの発光パネル１０Ｂ側の傾斜面上に設けられ、第２反射領域３９をその表面に形成している。ベース部３１Ｒの発光パネル１０Ｂ側の傾斜面のうち、第２反射領域３９が形成されていない部分は、第１反射領域３７を形成している。
【００９４】
第１反射領域３６，３７は、ベース部３１Ｒの頂部側に位置している。第２反射領域３８，３９は、第１反射領域３６，３７に比べて発光パネル１０Ａ，１０Ｂの発光面１２の近くに位置している。第２反射領域３８，３９は、第１反射領域３６，３７の反射率よりも高い反射率を有している。発光パネル１０Ａ，１０Ｂの発光面１２から放射された光のうちの第１反射領域３６，３７に到達した光のほとんどは、第１反射領域３６，３７において拡散される。
【００９５】
光量補正部材３０Ｊにおいても、発光パネル１０Ａ，１０Ｂの発光面１２側に位置する第２反射領域３８，３９は、光拡散板４３（図示せず）側に位置する第１反射領域３６，３７の反射率よりも高い反射率を有している。当該構成によっても、光拡散板４３（図示せず）のうちの第１反射領域３６，３７およびその周囲部に対応する部分から放射される光の量がその他の領域に比べて必要以上に多く放射されることは抑制され、全体としての輝度の不均一性を低減することができる。
【００９６】
［第１０変形例］
図１８を参照して、実施の形態１の第１０変形例における光量補正部材３０Ｋについて説明する。光量補正部材３０Ｋのベース部３１Ｓは、嵌合部３１Ｔを有している。嵌合部３１Ｔは、ベース部３１Ｓの背面側の部分に設けられている。嵌合部３１Ｔは、正面側から発光パネル１０Ａ，１０Ｂの外縁１０Ｅ同士の間に向かって延びる形状を有している。
【００９７】
発光パネル１０Ａ，１０Ｂの外縁１０Ｅ同士の間の部分は、光量補正部材以外の他の部材に設けられた位置決め部として機能している。この位置決め部に嵌合部３１Ｔが差し込まれることによって、光量補正部材３０Ｋは発光パネル１０Ａ，１０Ｂに対して位置決めされている。作製の際の高い利便性が得られ、光量補正部材３０Ｋは発光パネル１０Ａ，１０Ｂに対して高い精度で位置決めされた状態で固定されることができる。
【００９８】
［第１１変形例］
図１９を参照して、実施の形態１の第１１変形例における光量補正部材３０Ｌについて説明する。光量補正部材３０Ｌのベース部３１Ｕも、嵌合部３１Ｔを有している。嵌合部３１Ｔは、ベース部３１Ｕの背面側の部分に設けられている。嵌合部３１Ｔは、正面側から発光パネル１０Ａ，１０Ｂの外縁１０Ｅ同士の間に向かって延びる形状を有している。筺体４０のベース板４１には、凹部４１Ｔが設けられている。
【００９９】
凹部４１Ｔは、光量補正部材以外の他の部材に設けられた位置決め部として機能している。この位置決め部に嵌合部３１Ｔが差し込まれることによって、光量補正部材３０Ｌは発光パネル１０Ａ，１０Ｂに対して位置決めされている。作製の際の高い利便性が得られ、光量補正部材３０Ｌは発光パネル１０Ａ，１０Ｂに対して高い精度で位置決めされた状態で固定されることができる。
【０１００】
［実施の形態２］
図２０を参照して、本実施の形態の面発光ユニット１０１について説明する。面発光ユニット１０１は、上述の各実施の形態（たとえば実施の形態１）における面発光ユニットの構成に加えて、高い光透過性を有する保護部材４４をさらに備えている。光量補正部材３０は、光拡散板４３が位置する側（正面側）から光量補正部材３０を見た場合に、発光面の一部に重なる部分を有している。
【０１０１】
保護部材４４は、発光パネル１０Ａ，１０Ｂの発光面１２と光量補正部材３０との間に位置する部分を少なくとも有している。本実施の形態の保護部材４４は、発光面１２上に設けられ、発光面１２の全体の覆う形状を有している。発光面１２と光量補正部材３０との間に保護部材４４を設けることで、保護部材４４は保護部として機能し、光量補正部材３０による発光面１２への損傷を抑制または防止することが可能となる。
【０１０２】
［実施の形態３］
図２１を参照して、本実施の形態の面発光ユニット１０２について説明する。面発光ユニット１０２においては、保護部４５が光量補正部材３０Ｍの一部として設けられている。光量補正部材３０Ｍは、ベース部３１Ｖ、光学部材３２，３３、および保護部４５を含んでいる。ベース部３１Ｖおよび保護部４５は、高い光透過性を有する部材から互いに一体的に形成されている。なお、ベース部３１Ｖおよび保護部４５の材料は、たとえば樹脂であり、保護部４５は、可撓性を有するフィルム状の形状を有している。
【０１０３】
保護部４５は、発光面１２上に設けられ、発光面１２の全体の覆う形状を有している。光量補正部材３０Ｍは、光学部材３２，３３によって輝度の不均一性を低減するという機能だけでなく、ベース部３１Ｖと保護部４５との一体形成によって発光面１２への損傷を抑制または防止するという機能を発揮することも可能となっている。
【０１０４】
上述した各実施の形態および各変形例は、隣り合う発光パネル１０Ａ，１０Ｂの発光面１２上に跨るように光量補正部材を配置した場合を例示して説明したが、隣り合う発光パネル１０Ａ，１０Ｂの間に形成される隙間２８に納まるように光量補正部材が配置されていてもよい。この場合、光量補正部材の反射面３４，３５の少なくとも一部が、発光パネル１０Ａ，１０Ｂの発光面１２よりも光拡散板４３の側に位置するように配置される。
【０１０５】
本発明が適用される面発光ユニットは、室内および室外における照明用途に供される狭義の意味の照明装置に限られず、本発明が適用される面発光ユニットには、たとえばディスプレイ、表示デバイス、電光表示式の看板および広告等に具備される広義の意味の照明装置が含まれる。
【０１０６】
以上、本発明に基づいた各実施の形態および各変形例について説明したが、今回開示された各実施の形態および各変形例はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１０７】
１０Ａ，１０Ｂ  発光パネル、１０Ｅ  外縁、１１  透明基板、１２  発光面（表面）、１３  裏面、１４  陽極、１５  発光体（有機層）、１６  陰極、１７  封止部材、１８  絶縁層、１９  背面、２０  分割領域、２１，２２  電極取出部、２８  隙間、３０，３０Ａ，３０Ｂ，３０Ｃ，３０Ｄ，３０Ｅ，３０Ｆ，３０Ｇ，３０Ｈ，３０Ｊ，３０Ｋ，３０Ｌ，３０Ｍ，３０Ｚ  光量補正部材、３１，３１Ｋ，３１Ｐ，３１Ｑ，３１Ｒ，３１Ｓ，３１Ｕ，３１Ｖ  ベース部、３１Ｊ  平坦面、３１Ｔ  嵌合部、３２，３２ａ，３２ｂ，３２Ｍ，３２Ｎ，３３，３３ａ，３３ｂ  光学部材、３４，３５  反射面、３６，３７  第１反射領域、３８，３８ａ，３８ｂ，３９，３９ａ，３９ｂ  第２反射領域、４０  筺体、４１  ベース板、４１Ｔ  凹部、４２  枠板、４３  光拡散板（光拡散部材）、４４  保護部材（保護部）、４５  保護部、１００，１０１，１０２，２００，３００  面発光ユニット、Ｒ１  発光領域、Ｒ２，Ｒ２ａ，Ｒ２ｂ  非発光領域、Ｒ３  非発光部。
【図１】
2014203675.tif 000003
【図２】
2014203675.tif 000004
【図３】
2014203675.tif 000005
【図４】
2014203675.tif 000006
【図５】
2014203675.tif 000007
【図６】
2014203675.tif 000008
【図７】
2014203675.tif 000009
【図８】
2014203675.tif 000010
【図９】
2014203675.tif 000011
【図１０】
2014203675.tif 000012
【図１１】
2014203675.tif 000013
【図１２】
2014203675.tif 000014
【図１３】
2014203675.tif 000015
【図１４】
2014203675.tif 000016
【図１５】
2014203675.tif 000017
【図１６】
2014203675.tif 000018
【図１７】
2014203675.tif 000019
【図１８】
2014203675.tif 000020
【図１９】
2014203675.tif 000021
【図２０】
2014203675.tif 000022
【図２１】
2014203675.tif 000023